(57)【要約】【課題】建物の入場の際、その都度ポケットからＲＦＩＤカードを取り出し、リーダライタの読み取り部にかざさなくとも、ＲＦＩＤカードに書き込まれた情報を送受信が出来る、接触型個体認証方法を提供する。【解決手段】認証を必要とする箇所のドア１に導電部としてのドアノブ２を設け、ドアノブ２とリーダライタ３を電気的に接続し、電源を必要としないＲＦＩＤカード１０を携帯した人間Ａがドアノブ２を触った際、リーダライタ３からドアノブ２に供給される高周波搬送波が人間Ａの体に微弱電流となって流れ、人間Ａの体と対地Ｇ間に電圧を発生させ、ＲＦＩＤカード１０のアンテナにより受信され、ＲＦＩＤカード１０の回路を励起し、ＲＦＩＤカード１０の記録部に書き込んだ情報をリーダライタ３に、ＲＦＩＤカード１０のアンテナ、人間Ａの体、ドアノブ２を通して送信し、リーダライタ３は送信された情報を読み込むこととした。【選択図】図１
2005027095.tif 000002
【特許請求の範囲】
【請求項１】
ＲＦＩＤの記録媒体（以下「ＲＦＩＤ記録媒体」という）に書き込んだ情報を送信してリーダライタで読み込み、ＰＣで個体の認証を行うＲＦＩＤシステムにおいて、
認証を必要とする箇所に導電部を設け、当該導電部と上記リーダライタを電気的に接続しておき、
電源を必要としないＲＦＩＤ記録媒体を携帯した人間が上記導電部を触った際、上記リーダライタから当該導電部に供給される高周波搬送波が当該人間の体に微弱電流となって流れ、人体と対地間に電圧を発生させ、携帯しているＲＦＩＤ記録媒体のアンテナにより受信され、当該ＲＦＩＤ記録媒体の回路を励起し、ＲＦＩＤ記録媒体の記録部に書き込んだ情報を上記リーダライタに、ＲＦＩＤ記録媒体のアンテナ、上記人間の体及び上記導電部を通して送信し、当該リーダライタは送信された情報を読み込むことを特徴とする、接触型個体認証方法。
【請求項２】
上記ＲＦＩＤ記録媒体は、人間の首から下げたり、衣服に装着したり、又は体に貼り付けたりして携帯することを特徴とする、上記請求項１に記載の接触型個体認証方法。
【発明の詳細な説明】
【０００１】
【発明の属する技術分野】
この発明は、設置されたリーダライタから発信される信号が集積回路から成るＲＦＩＤ記録媒体に送られて、このＲＦＩＤ記録媒体の回路が起動し、このＲＦＩＤ記録媒体の記録部に書き込まれた情報が上記リーダライタに送られて、情報を照合して行われる個体認証方法であって、特にポケット等からＲＦＩＤ記録媒体を取り出して、リーダライタ等にかざさなくとも、ドアノブ等の導電部に触れるだけで当該リーダライタとＲＦＩＤ記録媒体は送受信を行い個体の認証ができる接触型個体認証方法に関するものである。
【０００２】
【従来の技術】
従来、建物に入場する入場者の管理方法として、入場者がＩＤカードを携帯し、このＩＤカードを受付にいる警備員などに提示し、当該警備員が当該ＩＤカードを提示している入場者が本人か否かを確認することで入場者を管理していた。最近では、ＲＦＩＤ（Ｒａｄｉｏ  Ｆｒｅｑｕｅｎｃｙ  Ｉｄｅｎｔｉｆｉｃａｔｉｏｎ  Ｓｙｓｔｅｍ）の開発により、カードに個人情報を書き込んだＲＦＩＤカードを入場者が携帯し、建物の入口において、衣服のポケットなどからこのＲＦＩＤカードを取り出し、手に持って当該建物の入口に設置されたリーダライタの読み取り部にこのＲＦＩＤカードをかざして、このＲＦＩＤカードに書き込まれた情報を送信し、リードライタに繋がったＰＣ（ＰｅｒｓｏｎａｌＣｏｍｐｕｔｅｒ）などにあらかじめ入力された情報と照合し、ドアの開錠を行うというシステムが採用されており、個人の認証のほか、各種の個体識別にも利用されている。
【０００３】
【発明が解決しようとする課題】
しかしながら、建物の入場の際、その都度ポケットからＲＦＩＤカードを取り出し、手に持って当該建物の入口に設置されたリーダライタの読み取り部にこのＲＦＩＤカードをかざすというのは、面倒である。また電波を無線で送受信させて行う方法では、空間に電波を発信するために安定した確実な電波の送受信という点においては、不安定な要素が残り、誤作動や不通状態を招く可能性を完全に拭い去る事は出来ない。またこの電波を盗聴されるといった危険も皆無ではない。
【０００４】
そこでこの発明は、ＲＦＩＤカードを利用した個体の認証方法であっても、建物への入場の際等、その都度ポケットからＲＦＩＤカードを取り出し、建物の入口に設置されたリーダライタの読み取り部にかざさなくとも、ＲＦＩＤカードに書き込まれた情報を送受信が出来る、情報を送受信する手段として、無線によらない、接触型個体認証方法を提供して上記課題を解決するものである。
【０００５】
【課題を解決するための手段】
請求項１の発明は、ＲＦＩＤの記録媒体に書き込んだ情報を送信してリーダライタで読み込み、ＰＣで個体の認証を行うＲＦＩＤシステムにおいて、認証を必要とする箇所に導電部を設け、当該導電部と上記リーダライタを電気的に接続しておき、電源を必要としないＲＦＩＤ記録媒体を携帯した人間が上記導電部を触った際、上記リーダライタから当該導電部に供給される高周波搬送波が当該人間の体に微弱電流となって流れ、人体と対地間に電圧を発生させ、携帯しているＲＦＩＤ記録媒体のアンテナにより受信され、当該ＲＦＩＤ記録媒体の回路を励起し、ＲＦＩＤ記録媒体の記録部に書き込んだ情報を上記リーダライタに、ＲＦＩＤ記録媒体のアンテナ、上記人間の体及び上記導電部を通して送信し、当該リーダライタは送信された情報を読み込む接触型個体認証方法とした。
【０００６】
請求項２の発明は、上記ＲＦＩＤ記録媒体は、人間の首から下げたり、衣服に装着したり、又は体に貼り付けたりして携帯する上記請求項１に記載の接触型個体認証方法とした。
【０００７】
【発明の実施の形態】
以下、この発明の実施の形態例を図に基づいて説明する。
図１は、建物内におけるこの発明の基本的な構成を示し、この建物では、部屋のドア１のドアノブ２をステンレスで設け、ドア１本体を合成樹脂で設けており、ドアノブ２と、このドア１の近くに設置したリーダライタ３とは、被覆した導線４により接続されており、このドア１本体は、周囲と絶縁されているものとする。
【０００８】
ドア１の近くに設置したリーダライタ３は、図２に示すように、結合部５と制御部６から成り、制御部６は、発信部６ａと受信部６ｂから構成され、発信部６ａは、高周波搬送波を発信する発信器ＯＳＣ、この信号を変調する変調器ＭＯＤ、増幅する増幅器ＰＡから成り、上記結合部５から信号を外部へ発信する。受信部６ｂは、後述するＲＦＩＤカードから送信された信号を上記結合部５で受け、この信号の帯域幅を制限しノイズを減少させ信号を増幅させるローノイズアンプＬＮＡ、復調器ＤＥＭＯＤ、低変調アンプＬＦＡ、波形整形器Ｗから成り、発信部６ａと受信部６ｂは、夫々ＰＣ８にＬＡＮ（Ｌｏｃａｌ  ａｒｅａ  Ｎｅｔｗｏｒｋ）９によって接続されている。
【０００９】
入場者Ａが携帯するＲＦＩＤ記録媒体として、電池等の電源を搭載していないカード型のものを使用する（以下「ＲＦＩＤカード」という）。このＲＦＩＤカード１０は、図３に示すように、電流検出、或いは電圧検出型のアンテナ１１による受信搬送波をダイオード１３により検波、整流し、制御部１４と記録部１５の電源とし、なおかつ制御部１４に対するコマンド信号とする。このコマンド信号により制御部１４は、記録部１５より書き込まれた情報を電気信号として取り出し、スイッチＳを介してアンテナ１１に変調をかけ、リーダライタ３に向けて信号を送り出す。
【００１０】
次に上記のＲＦＩＤカード１０を携帯した入場者Ａが上記のリーダライタ３などを設けた部屋の入口において、この発明の認証方法によって認証される様子を説明する。この部屋のドア１は、通常はＰＣ８の操作によって電子錠により施錠されており、この部屋の入室許可を有するものしか入ることが出来ないようになっている。
【００１１】
入場者Ａは、図１に示すように、上記ＲＦＩＤカード１０をシャツの胸のポケットに入れて携帯している。この様な入場者Ａがこの部屋に入ろうとして、ドアノブ２に触った瞬間、上記リーダライタ３からこのドアノブ２に導線４を通じて供給される高周波搬送波が、入場者Ａの人体に微弱電流となって流れ込み、入場者Ａの体と対地Ｇ間に電圧を発生させる。
【００１２】
この時この入場者Ａがシャツの胸のポケットに入れて携帯しているＲＦＩＤカード１０のアンテナに起電力が発生し、ＲＦＩＤカード１０の回路を励起し、記録部１５にあらかじめ書き込まれた情報を電気信号としてアンテナ１１に送り、入場者Ａの人体を介して、上記ドアノブ２及び導線４を再度経由して上記リーダライタ３に送信される。
【００１３】
送信された信号は、リーダライタ３における結合部５を経て制御部６の受信部６ｂで受け、この信号のノイズを減少させて整形しＬＡＮ９によりＰＣ８に送られる。このＰＣ８において、あらかじめ入力された入室許可者情報と照合されて、適合すればＰＣ８からでドア開錠の指令が送信されて開錠される（図示省略）。また入場者ＡがこのＲＦＩＤカード１０を携帯していなかった場合、又は入室許可者情報に無かった場合、当然であるがドア１は開錠しない。
【００１４】
次にこの方法に使用するリーダライタ３の送信機の所要電力を想定する。ＲＦＩＤカード１０における回路の所要電力を６０μＷと仮定すると、人体とＲＦＩＤカード１０の結合損を１５ｄＢとし、人体に供給する電力は２ｍＷとなる。人体がドアノブと接触した場合の接触損失を１５ｄＢとするとドアノブ２の金属部分に供給される電力は６３ｍＷとなる。金属部分とリーダライタ３の送信機の接続損失を１０ｄＢとすると当該送信機の電力は、６３０ｍＷとなる。
【００１５】
上記の実施の形態例では、入場者Ａは、ＲＦＩＤカード１０をシャツの胸のポケットに入れて携帯しているが、このＲＦＩＤカード１０に紐を通して首から下げるようにしても良く（図示省略）、また人体に直接貼り付ける（図示省略）など、人体のどのような部分で携帯しても良い。さらにこの発明における個体認証方法と既存の指紋照合器とを併用すると、この発明の認証方法が有効に作動する機能が極めて高いので、指紋照合の誤確認の割合を大幅に改善することが出来る。また人間が認証の際、触れる導電部としてドア１のドアノブ２を使用したが、導電部としては、これらに限定するものではなく、認証の際、触れる導電部として、例えば、タッチパネルなどとしてもよい。このタッチパネルを応用すれば、このタッチパネルに接続したリーダライタ及びタイムレコーダーを設けることにより（図示省略）、出勤してきた社員は、このタッチパネルに手を触れるだけで出勤記録が残されることになる。さらに自動車に応用すれば、ドアの把手部に触れるだけでドアロックの解除やエンジンの始動も出来る。この様にこの方法は、他の適宜の個体認証に使用できるものである。
【００１６】
上記実施の形態例においては、ＲＦＩＤカード１０及びリーダライタ３を構成図を示して具体的に記載したが、ＲＦＩＤカード１０及びリーダライタ３の構成としては、これらのものに限定するものではない。またＲＦＩＤ記録媒体としてカードを使用したが、ＲＦＩＤ記録媒体としては、カードに限定するものではなく、ラベル型、チップ型など採用できる形状のものなら何でも良い。さらにＲＦＩＤカード１０の所要電力や、入場者Ａである人体とＲＦＩＤカード１０の結合損、入場者Ａである人体がドアノブ２と接触した場合の接触損失などの想定値を記載しているが、これらの数値は、この発明の必須要件ではない。
【００１７】
【発明の効果】
請求項１及び２の各発明によれば、携帯したＲＦＩＤ記録媒体をわざわざ取り出して、リーダライタにかざすという行為をせず、ただ導電部に触れるだけでよいので、非常に使い勝手が良く、また情報の送受信に人体を導通体として使用しているので、有線の場合と同様に安定した確実な情報の送受信を行うことができ、誤作動や不通状態を招く可能性が極めて少なく、さらに電波を外部に飛ばさないため情報が外部に漏れるおそれもない。さらに請求項２の発明によれば、人間は、このＲＦＩＤ記録媒体を首から下げたり又は衣服を介してポットなどに入れて携帯しているので、このＲＦＩＤ記録媒体と人体との距離が短く、行われる電磁誘導に対して大きな障害となるものが無いので、これらの電磁誘導による導通が確実かつ安定して行えるので、認証方法として信頼性の高いものである。
【図面の簡単な説明】
【図１】この発明の実施の形態例のドア、ドアノブ、リーダライタ、ＰＣ、入場者等の配置の様子を示す説明図である。
【図２】この発明の実施の形態例のリーダライタを示す概略構成図である。
【図３】この発明の実施の形態例のＲＦＩＤカードを示す概略構成図である。
【符号の説明】
Ａ    入場者
１    ドア                          ２    ドアノブ
３    リーダライタ                  ４    導線
８    ＰＣ                        １０    ＲＦＩＤカード
【図１】
2005027095.tif 000003
【図２】
2005027095.tif 000004
【図３】
2005027095.tif 000005